(57)【要約】【課題】持ち運び可能、大型化も可能で、しかも簡易な構成で低コストな投影スクリーンを提供する。【解決手段】方形のフレーム２と、フレームに対して四辺が係止されて展張される可撓性を有する方形の投影幕３と、を有する投影スクリーン１であって、フレーム２の四囲いの各フレーム辺２１にそれぞれフレーム辺長手に沿ってフレーム辺との間に隙間αを存して取り付けられたフック引っ掛け用部材２２と、投影幕３の四辺の各縁部にそれぞれ縁に沿って間隔をあけて取り付けられた複数のフック部材３１と、を有し、フック引っ掛け用部材２２に対してフック部材３１が引っ掛けられることによりフレーム２の各フレーム辺２１に対して投影幕３の対応する辺が係止されてフレーム２に投影幕３が展張状態に保持されることを特徴とする投影スクリーン。【選択図】図２
2015212785.tif 000002
【特許請求の範囲】
【請求項１】
方形のフレームと、前記フレームに対して四辺が係止されて展張される可撓性を有する方形の投影幕と、を有する投影スクリーンであって、
前記フレームの四囲いの各フレーム辺にそれぞれフレーム辺長手に沿ってフレーム辺との間に隙間を存して取り付けられたフック引っ掛け用部材と、
前記投影幕の四辺の各縁部にそれぞれ縁に沿って間隔をあけて取り付けられた複数のフック部材と、
を有し、前記フック引っ掛け用部材に対して前記フック部材が引っ掛けられることにより前記フレームの各フレーム辺に対して前記投影幕の対応する辺が係止されて前記フレームに前記投影幕が展張状態に保持されることを特徴とする投影スクリーン。
【請求項２】
前記フレームは方形に展開された使用可能状態とフレーム辺を畳み込んだ折り畳み格納可能状態とに転換可能であることを特徴とする請求項１に記載の投影スクリーン。
【請求項３】
前記フレームは方形に組み立てた使用可能状態とフレーム辺を分離した分解格納状態とに転換可能であることを特徴とする請求項１に記載の投影スクリーン。
【請求項４】
前記フレーム辺に対して前記フック引っ掛け用部材がスペーサ部材を介してビスにより取り付けられていることを特徴とする請求項１乃至３の何れか一項に記載の投影スクリーン。
【請求項５】
前記フレーム辺の側に互いに嵌り合って結合する凹部材と凸部材からなるスナップの一方の部材がフレーム辺の長手に沿って間隔をあけて複数個配設されており、前記フック引っ掛け用部材の側には長手に沿って間隔をあけて前記スナップの他方の部材が複数個配設されており、前記フレーム辺に対して前記フック引っ掛け用部材が前記スナップによるスナップ留めにて取り付けられていることを特徴とする請求項１乃至３の何れか一項に記載の投影スクリーン。
【発明の詳細な説明】
【技術分野】
【０００１】
本発明は、投影スクリーンに関する。
【背景技術】
【０００２】
持ち運びが容易で、任意の場所に設置することが出来る可搬式の投影スクリーン装置は各種構造のものが知られている。特許文献１には、スプリングロールに巻回されたスクリーンを収納ケースに収納し、収納ケースに取り付けた支柱によりスクリーンを展開状態に係止する可搬式の投影スクリーン装置が開示されている。
【先行技術文献】
【特許文献】
【０００３】
【特許文献１】特開２００８−１２２９９７号公報
【発明の概要】
【発明が解決しようとする課題】
【０００４】
近時は、イベントや各種展示会場における映像パフォーマンスにも対応できる、持ち運び可能で、しかも大型化も可能な構成のものが要望されている。
【０００５】
本発明の目的は、上記の要望に応え得て、しかも簡易な構成で低コストな投影スクリーンを提供することにある。
【課題を解決するための手段】
【０００６】
上記の目的を達成するための本発明に係る投影スクリーンの代表的な構成は、方形のフレームと、前記フレームに対して四辺が係止されて展張される可撓性を有する方形の投影幕と、を有する投影スクリーンであって、前記フレームの四囲いの各フレーム辺にそれぞれフレーム辺長手に沿ってフレーム辺との間に隙間を存して取り付けられたフック引っ掛け用部材と、前記投影幕の四辺の各縁部にそれぞれ縁に沿って間隔をあけて取り付けられた複数のフック部材と、を有し、前記フック引っ掛け用部材に対して前記フック部材が引っ掛けられることにより前記フレームの各フレーム辺に対して前記投影幕の対応する辺が係止されて前記フレームに前記投影幕が展張状態に保持されることを特徴とする。
【０００７】
前記フレームは方形に展開された使用可能状態とフレーム辺を畳み込んだ折り畳み格納可能状態とに転換可能である、あるいは、前記フレームは方形に組み立てた使用可能状態とフレーム辺を分離した分解格納状態とに転換可能であることを特徴とする。
【発明の効果】
【０００８】
本発明によれば、持ち運び可能、大型化も可能で、しかも簡易な構成で低コストな投影スクリーンを提供することができる。
【図面の簡単な説明】
【０００９】
【図１】一実施例の投影スクリーンを正面側から見た外観斜視図
【図２】その分解斜視図
【図３】フック引っ掛け用部材が取り付けられているフレーム辺の拡大横断面図
【図４】フック引っ掛け用部材に投影幕側のフック部材が引っ掛けられている状態のフレーム辺の拡大横断面図
【図５】（ａ）はフック引っ掛け用部材に設けられた１つのビス穴の部分の斜視図、（ｂ）はスペーサリングの部分斜視図
【図６】四辺の各縁部に対してそれぞれ縁に沿って間隔をあけて複数のフック部材が取り付けられている投影幕の裏面側の図
【図７】（ａ）は１つのフック部材を投影幕の正面側から見た図、（ｂ）は投影幕の裏面側から見た図
【図８】一つのフック部材の分解斜視図
【図９】投影幕に取り付けられたフック部材の拡大断面図
【図１０】折り畳み式フレームの一構成例の説明図
【図１１】分解式フレームの一構成例の説明図
【図１２】フレーム辺に対するフック引っ掛け用部材の他の取り付け形態の説明図
【発明を実施するための形態】
【００１０】
［実施例］
図１は本発明の一実施例の投影スクリーンを正面側から見た外観斜視図、図２はその分解斜視図である。
【００１１】
この投影スクリーン１は、長方形あるいは正方形の方形のフレーム２と、このフレーム２に対して四辺が係止されて展張される可撓性を有する長方形あるいは正方形の方形の投影幕（フロントスクリーンあるいはリアスクリーン）３と、を有する。
【００１２】
フレーム２の四囲いの各フレーム辺２１にそれぞれフレーム辺長手に沿ってフレーム辺２１との間に隙間α（図３）を存して取り付けられたフック引っ掛け用部材２２を有している。また、投影幕３の四辺の各縁部にそれぞれ縁に沿って間隔をあけて取り付けられた複数のフック部材３１を有している。そして、部材２２に対してフック部材３１が図４のように引っ掛けられることによりフレーム２の各フレーム辺２１に対して投影幕３の対応する辺が係止されてフレーム２に投影幕３が展張状態に保持されるものである。
【００１３】
本実施例において、フレーム２は、各フレーム辺２１として中空角型のアルミパイプ材を用いて方形の枠体を構成している。フレーム２は、投影スクリーン１が小型であり、持ち運びや収納に支障がない場合には、折り畳みや分解ができない方形枠体として予め構成されていても良い。大型の投影スクリーンである場合には、フレーム２は、折り畳み式や分解式にする。これについては後述する。
【００１４】
本実施例において、フック引っ掛け用部材２２は、各フレーム辺２１の長さと幅にほぼ対応する長さと幅を有する細長いアルミ板を用いている。この部材２２には幅方向中央部に部材長手に沿って間隔をあけて複数のビス穴２３が形成されている。また、この部材２２の裏面側には各ビス穴２３の位置にビス穴２３と同心にスペーサリング（スペーサ部材）２４が配置されて部材２２に固着されている。図５の（ａ）と（ｂ）はそれぞれ部材２２に設けられた１つのビス穴２３の部分（部材２２の表面側）とスペーサリング２４の部分（部材２２の裏面側）を示している。
【００１５】
各フレーム辺２１に対する部材２２の取り付けは次の要領でなされる。フレーム辺２１の正面側に部材２２を、スペーサリング２４が取り付けられている裏面側を対面させてあてがう。そして、各スペーサリング２４の穴部を、それぞれ、フレーム辺２１の正面側にフレーム辺長手に沿って予め各スペーサリング２４の穴部の間隔をもってあけられている雌ねじ穴２６に一致させる。
【００１６】
そして、部材２２の表面側の各ビス穴２３にビス２５を差し込んで雌ねじ穴２６に十分にねじ込む。これにより部材２２がフレーム辺２１の正面側にスペーサリング２４の厚さ（高さ）に対応する隙間α（図３）を存して取り付けられる。
【００１７】
投影幕３は全体に可撓性を有し、小さく折り畳たんで格納可能である。また、折り畳たんだものを投影幕３として広げることができる。投影幕３において、３ａは幕中央部の銀幕部（投影面）、３ｂは銀幕部四周の額縁部である。各フック部材３１は投影幕３の額縁部３ｂに縁に沿って取り付けられている。図６は四辺の各縁部に対してそれぞれ縁に沿って間隔をあけて複数のフック部材３１が取り付けられている投影幕３の裏面側の図である。
【００１８】
図７の（ａ）は１つのフック部材３１を投影幕３の正面側から見た図、（ｂ）は投影幕３の裏面側から見た図である。図８は一つのフック部材３１の分解斜視図である。フック部材３１は、ベース板部３１ａと、このベース板部を曲げ加工してベース板部と一連一体に具備させたフック部３１ｂと、添え板部３１ｃと、を有する。ベース板部３１ａと添え板部３１ｃには互いに対応する２個ずつのリベット挿通穴３１ｄが形成されている。
【００１９】
本実施例における各フック部材３１の投影幕３に対する取り付けは次のようになされる。投影幕３の額縁部３ｂの裏面側にフック部３１ｂを投影幕３の正面側とは逆向きにしてベース板部３１ａをあてがう。この場合、フック部３１ｂの頭は額縁部３ｂの外縁にほぼ位置させる。額縁部３ｂの表面側の前記ベース板部３１ａに対応する位置に添え板部３１ｃをあてがってベース板部３１ａと添え板部３１ｃとで額縁部３ｂを挟み込む。そして、ベース板部３１ａと添え板部３１ｃの互いに対応する２箇所のリベット挿通穴３１ｄにそれぞれリベット３１ｅを貫通させて打ち込む。
【００２０】
これにより、額縁部３ｂを挟み込んだ状態でベース板部３１ａと添え板部３１ｃが図９のように締結されて、フック部材３１の投影幕３に対する取り付けがなされている。
【００２１】
上記のようにフレーム２の各フレーム辺２１に取り付けられたフック引っ掛け用部材２２に対して、投影幕３の四辺の各縁部にそれぞれ縁に沿って間隔をあけて取り付けられた複数のフック部材３１をそれぞれ図４のように引っ掛ける。これにより、フレーム２の各フレーム辺２１に対して投影幕３の対応する辺が係止されてフレーム２に投影幕３が展張状態に保持される。
【００２２】
この場合、各フック部材３１のフック引っ掛け用部材２２に対する引っ掛けが投影幕３に張力を与えた状態でなされるように、投影幕３に対する各フック部材３１の取り付け位置が予め設定されていることが望ましい。
【００２３】
上記のようにしてフレーム２の投影幕３を展張した投影スクリーン１はスタンド（不図示）や壁面等に取り付けて設置されて使用される。
【００２４】
大型投影スクリーンについては、その持ち運びや収納の便のために、フレーム２は、折り畳み式や分解式にされる。フレーム２の折り畳みや分解の構成形態は各種考えられ、任意である。
【００２５】
図１０は折り畳み式フレーム２の一構成例の説明図である。このフレーム２は方形に展開された使用可能状態とフレーム辺を畳み込んだ折り畳み格納可能状態とに転換可能である。
【００２６】
図１０の（ａ）はフレーム２が方形に展開された、使用可能状態を示している。このフレーム２は、上側と下側のフレーム辺がそれぞれ左・中・右の３つのフレーム辺２１（１）・２１（２）・２１（３）に分割されていて互いに図面上上下方向の軸線ａを中心に回動可能な関節部（ヒンジ部）２７で連結されている。
【００２７】
また、左側と右側のフレーム辺がそれぞれ上下２つのフレーム辺２１（４）・２１（５）に分割されていて互いに図面に垂直方向の軸線ｂを中心に回動可能な関節部２８で連結されている。また、各コーナー部（四隅部）を構成する分割フレーム辺２１（１）・２１（４）、２１（３）・２１（４）、２１（１）・２１（５）、２１（３）・２１（５）も互いに図面に垂直方向の軸線ｂを中心に回動可能な関節部２８で連結されている。
【００２８】
（ａ）のようにフレーム２が方形に展開された状態においては、各関節部２７、２８はそれぞれ関節部に具備させたロック機構（不図示）により固定化されている。これによりフレーム２は方形に展開された状態が安定に保持されている。また、図には省略したけれども、各分割フレーム辺２１（１）〜２１（５）の正面側には前述したと同様の要領にてフック引っ掛け用部材２２が配設されている。そして、その部材２２に対して前述したと同様の要領にて投影幕３側のフック部材３１が引っ掛けられることにより投影幕３が展張状態に保持される。
【００２９】
フレーム２の折り畳みは次の要領でなされる。フレーム２の部材２２に引っ掛けられている投影幕３側の各フック部材３１を部材２２から外すことにより、フレーム２から投影幕３を取り外す。取り外した投影幕３は小さく折り畳む。フレーム２は各コーナー部に位置する関節部２８のロック機構のロックを解除する。また、右側と左側のフレーム辺の上下の分割フレーム辺２１（４）・２１（５）の各関節部２８のロック機構のロックを解除する。
【００３０】
そして、右側と左側のフレーム辺の上下の分割フレーム辺２１（４）・２１（５）を、それぞれ、各関節部２８の軸線ｂを中心に（ａ）の矢印ｃのようにフレーム２の内方に折り畳み回動する。これにより、（ｂ）に示すように、上記の右側と左側のフレーム辺の上下の分割フレーム辺２１（４）・２１（５）が上側と下側のフレーム辺の分割フレーム辺２１（１）・２１（１）および２１（３）・２１（３）の間に畳み込まれた状態になる。
【００３１】
次に、（ｂ）の状態において、上側と下側のフレーム辺における各２箇所の関節部２７のロック機構のロックを解除する。そして、（ｂ）において、左側の畳み込み分割フレーム辺２１（１）・２１（４）・２１（５）・２１（１）の全体をその側の関節部２７を軸線ａを中心に図面上奥側に回動する。これにより、上記の左側の畳み込み分割フレーム辺２１（１）・２１（４）・２１（５）・２１（１）の全体が上側と下側のフレーム辺の中の分割フレーム辺２１（２）・２１（２）の裏面側に畳み込まれた状態になる。
【００３２】
また、右側の畳み込み分割フレーム辺２１（３）・２１（４）・２１（５）・２１（３）の全体をその側の関節部２７を軸線ａを中心に図面上手前側に回動する。これにより、上記の右側の畳み込み分割フレーム辺２１（３）・２１（４）・２１（５）・２１（３）の全体が上側と下側のフレーム辺の中の分割フレーム辺２１（２）・２１（２）の表面側に畳み込まれた状態になる。
【００３３】
このようにして、フレーム２は、（ｃ）のように、コンパクトな形態に畳み込まれる（折り畳み格納可能状態）。（ｄ）は（ｃ）のように畳み込まれたフレーム２の上面である。
【００３４】
そして、上記のようにして畳み込まれたフレーム２および投影幕３は例えば収納ボックス（不図示）に格納されて保管や運搬がなされる。畳み込まれたフレーム２を使用可能状態にするための方形への展開は上記のフレーム２の畳み込み手順とは逆の要領にてなされる。
【００３５】
図１１は分解式フレームの一構成例の説明図である。このフレームは方形に組み立てた使用可能状態とフレーム辺を分離した分解格納状態とに転換可能である。本例においては、フレーム２の分割フレーム辺２１の相互の直列繋ぎと分解は（ａ）のような差し込み継ぎ手４１を用いてなされる。継ぎ手４１の差し込み部４１ａを分割フレーム辺２１の端部の中空開口部に嵌め込むことで分割フレーム辺２１の相互の直列繋ぎがなされる。分割フレーム辺２１と継ぎ手４１の固定化はロック機構（不図示）によりなされる。フレーム辺２１と継ぎ手４１の分離はロック機構を解除してなされる。
【００３６】
また、分割フレーム辺２１の相互の直角繋ぎと分解は（ｂ）のような差し込みコーナー継ぎ手４２を用いてなされる。継ぎ手４２の差し込み部４２ａを分割フレーム辺２１の端部の中空開口部に嵌め込むことで分割フレーム辺２１の相互の直角繋ぎがなされる。フレーム辺２１と継ぎ手４２の固定化はロック機構（不図示）によりなされる。フレーム辺２１と継ぎ手４２の分離はロック機構を解除してなされる。
【００３７】
ここで、フレーム２の各フレーム辺２１に対する投影幕３の取り付けと取り外しは、例えば、スナップ留めにて行うこともできる。具体的には、各フレーム辺２１に長手に沿って間隔をあけて複数のスナップの凹部材（又は凸部材）を配設し、投影幕３の四辺の各縁部にそれぞれ縁に沿って間隔をあけて複数のスナップの凸部材（又は凹部材）を配設して、スナップ留めにて行うこともできる。
【００３８】
このスナップ留め方式の場合は、投影幕３をフレーム２の各フレーム辺２１から外すとき、スナップ留めの係止力に抗して投影幕３を手前側にフレーム辺２１からあおって剥がす方向に強く引っ張ってスナップの凹部材と凸部材の係合を解除するものとなる。
【００３９】
そのために、投影幕３側のスナップの凸部材（又は凹部材）が取り付けられている部分の投影幕生地が破損しやすい。破損の程度によっては、投影幕３側のスナップの凸部材（又は凹部材）が投影幕３から取れてしまったり、投影幕３が大きく裂けてしまったりして、投影幕３の交換をよぎなくされる事態を生じやすい。
【００４０】
この点、本発明のフック部材３１による引っ掛け留め方式によれば上記のような事態の発生を避けることができる。
【００４１】
フレーム２の四囲いの各フレーム辺２１に対するフック引っ掛け用部材２２の取り付け手段は上記例のビス２５に限られない。例えば、図１２のように、フレーム２のフレーム辺２１の正面側にフレーム辺長手に沿って所定の間隔をもって、互いに嵌り合って結合する凹部材５１と凸部材５２からなるスナップ５０の一方の部材、本例では凹部材５１を複数個配設しておく。また、フック引っ掛け用部材２２の裏面側には長手に沿って、上記フレーム辺２１側の一方の部材５１に対応する他方の部材、本例では凸部材５２を複数個配設しておく。
【００４２】
そして、（ｂ）のように、フレーム辺２１側の一方の部材５１とフック引っ掛け用部材２２側の他方の部材５２とのスナップ留めによりフレーム２の四囲いの各フレーム辺２１に対してフック引っ掛け用部材２２を取り付けた形態にすることもできる。この場合、フレーム２の各フレーム辺２１とフック引っ掛け用部材２２との間には一方の部材５１と他方の部材５２が結合した状態のスナップ５０がスペーサとなって隙間αが形成される。
【符号の説明】
【００４３】
１・・投影スクリーン、２・・フレーム、３・・投影幕、２２・・フック引っ掛け用部材、３１・・フック部材
【図１】
2015212785.tif 000003
【図２】
2015212785.tif 000004
【図３】
2015212785.tif 000005
【図４】
2015212785.tif 000006
【図５】
2015212785.tif 000007
【図６】
2015212785.tif 000008
【図７】
2015212785.tif 000009
【図８】
2015212785.tif 000010
【図９】
2015212785.tif 000011
【図１０】
2015212785.tif 000012
【図１１】
2015212785.tif 000013
【図１２】
2015212785.tif 000014
【手続補正書】
【提出日】平成27年6月25日(2015.6.25)
【手続補正１】
【補正対象書類名】特許請求の範囲
【補正対象項目名】全文
【補正方法】変更
【補正の内容】
【特許請求の範囲】
【請求項１】
方形のフレームと、前記フレームに対して四辺が係止されて展張される可撓性を有する方形の投影幕と、を有する投影スクリーンであって、
前記フレームの四囲いの各フレーム辺にそれぞれフレーム辺長手に沿ってフレーム辺との間に隙間を存して取り付けられたフック引っ掛け用部材と、
前記投影幕の四辺の各縁部にそれぞれ縁に沿って間隔をあけて取り付けられた複数のフック部材と、
を有し、
前記フレーム辺の側に互いに嵌り合って結合する凹部材と凸部材からなるスナップの一方の部材がフレーム辺の長手に沿って間隔をあけて複数個配設されており、前記フック引っ掛け用部材の側には長手に沿って間隔をあけて前記スナップの他方の部材が複数個配設されており、前記フレーム辺に対して前記フック引っ掛け用部材が前記スナップによるスナップ留めにて取り付けられており、前記フック引っ掛け用部材に対して前記フック部材が引っ掛けられることにより前記フレームの各フレーム辺に対して前記投影幕の対応する辺が係止されて前記フレームに前記投影幕が展張状態に保持されることを特徴とする投影スクリーン。
【請求項２】
前記フレームは方形に展開された使用可能状態とフレーム辺を畳み込んだ折り畳み格納可能状態とに転換可能であることを特徴とする請求項１に記載の投影スクリーン。
【請求項３】
前記フレームは方形に組み立てた使用可能状態とフレーム辺を分離した分解格納状態とに転換可能であることを特徴とする請求項１に記載の投影スクリーン。
【手続補正２】
【補正対象書類名】明細書
【補正対象項目名】０００６
【補正方法】変更
【補正の内容】
【０００６】
上記の目的を達成するための本発明に係る投影スクリーンの代表的な構成は、方形のフレームと、前記フレームに対して四辺が係止されて展張される可撓性を有する方形の投影幕と、を有する投影スクリーンであって、前記フレームの四囲いの各フレーム辺にそれぞれフレーム辺長手に沿ってフレーム辺との間に隙間を存して取り付けられたフック引っ掛け用部材と、前記投影幕の四辺の各縁部にそれぞれ縁に沿って間隔をあけて取り付けられた複数のフック部材と、を有し、前記フレーム辺の側に互いに嵌り合って結合する凹部材と凸部材からなるスナップの一方の部材がフレーム辺の長手に沿って間隔をあけて複数個配設されており、前記フック引っ掛け用部材の側には長手に沿って間隔をあけて前記スナップの他方の部材が複数個配設されており、前記フレーム辺に対して前記フック引っ掛け用部材が前記スナップによるスナップ留めにて取り付けられており、前記フック引っ掛け用部材に対して前記フック部材が引っ掛けられることにより前記フレームの各フレーム辺に対して前記投影幕の対応する辺が係止されて前記フレームに前記投影幕が展張状態に保持されることを特徴とする。